【手続補正書】
【提出日】平成19年4月10日(2007.4.10)
【手続補正１】
【補正対象書類名】明細書
【補正対象項目名】特許請求の範囲
【補正方法】変更
【補正の内容】
【特許請求の範囲】
【請求項１】  電子写真感光体と、該電子写真感光体の表面に接触させた帯電部材としての導電部材に電圧を印加することにより該電子写真感光体の表面を帯電させる接触帯電装置とを有する電子写真装置において、
該電子写真感光体の表面層が、反応性のアクリロイルオキシ基及びメタクリロイルオキシ基の一方又は両方を分子中に含有する化合物を含む溶液を塗布し、硬化することによって形成された層であり、
該化合物に含有される反応性のアクリロイルオキシ基及びメタクリロイルオキシ基の総数（Ａ）の該化合物の分子量（Ｍ）に対する比の値（Ａ／Ｍ）が０．００５以下である
ことを特徴とする電子写真装置。
【請求項２】  前記導電部材に印加する電圧が、直流成分に交流成分を重畳した振動電圧である請求項１に記載の電子写真装置。
【請求項３】  前記電子写真感光体が、支持体上に電荷発生層及び電荷輸送層を有する感光層と、該感光層上に表面層として樹脂よりなる保護層とを有する請求項１又は２に記載の電子写真装置。
【請求項４】  前記化合物の１分子中に含有される反応性のアクリロイルオキシ基及びメタクリロイルオキシ基の総数が３個以上である請求項１〜３のいずれかに記載の電子写真装置。
【請求項５】  前記化合物の分子量（Ｍ）が３００以上１００００以下である請求項１〜４のいずれかに記載の電子写真装置。
【請求項６】  前記化合物の分子量（Ｍ）が５００以上５０００以下である請求項５に記載の電子写真装置。
【請求項７】  前記溶液が更に光反応開始剤を含有し、かつ、前記硬化が紫外線照射による硬化である請求項１〜６のいずれかに記載の電子写真装置。
【手続補正２】
【補正対象書類名】明細書
【補正対象項目名】０００１
【補正方法】変更
【補正の内容】
【０００１】
【発明の属する技術分野】
本発明は、電子写真装置に関するものであり、特に電子写真感光体表面に電圧を印加した帯電部材を接触させて感光体の帯電を行う接触帯電装置を用いた電子写真装置に関するものである。
【手続補正３】
【補正対象書類名】明細書
【補正対象項目名】００１２
【補正方法】変更
【補正の内容】
【００１２】
【課題を解決するための手段】
本発明に従って、電子写真感光体と、該電子写真感光体の表面に接触させた帯電部材としての導電部材に電圧を印加することにより該電子写真感光体の表面を帯電させる接触帯電装置とを有する電子写真装置において、
該電子写真感光体の表面層が、反応性のアクリロイルオキシ基及びメタクリロイルオキシ基の一方又は両方を分子中に含有する化合物を含む溶液を塗布し、硬化することによって形成された層であり、
該化合物に含有される反応性のアクリロイルオキシ基及びメタクリロイルオキシ基の総数（Ａ）の該化合物の分子量（Ｍ）に対する比の値（Ａ／Ｍ）が０．００５以下である電子写真装置が提供される。
【手続補正４】
【補正対象書類名】明細書
【補正対象項目名】００１５
【補正方法】変更
【補正の内容】
【００１５】
図１に示した例は、帯電部材として導電性ゴムローラを用い、感光体として感光層及び保護層をこの順に積層した構成の感光体を用いている。表面層である保護層は、反応性のアクリロイルオキシ基及びメタクリロイルオキシ基の一方又は両方を分子中に含有する化合物を含む溶液を塗布し、硬化することによって形成された層であり、該化合物に含有される反応性のアクリロイルオキシ基及びメタクリロイルオキシ基の総数（Ａ）の該化合物の分子量（Ｍ）に対する比の値（Ａ／Ｍ）を０．００５以下にする。
【手続補正５】
【補正対象書類名】明細書
【補正対象項目名】００２０
【補正方法】変更
【補正の内容】
【００２０】
本発明における感光体は、その表面層が、反応性のアクリロイルオキシ基及びメタクリロイルオキシ基の一方又は両方を分子中に含有する化合物を含む溶液を塗布し、硬化することによって形成された層であり、該化合物に含有される反応性のアクリロイルオキシ基及びメタクリロイルオキシ基の総数（Ａ）の該化合物の分子量（Ｍ）に対する比の値（Ａ／Ｍ）が０．００５以下であればよく、この他は特に限定されるものではない。
【手続補正６】
【補正対象書類名】明細書
【補正対象項目名】００２１
【補正方法】変更
【補正の内容】
【００２１】
本発明において、電子写真用感光体の層構成は、基本的には導電性支持体上に光半導体より成る感光層を形成し、その上に前記表面層を保護層として積層した構成である。又は、感光層が積層である場合には、感光層の表面を前記反応性のアクリロイルオキシ基及びメタクリロイルオキシ基の一方又は両方を分子中に含有する化合物と他の化合物との混合物で形成して本発明の感光体としてもよい。
【手続補正７】
【補正対象書類名】明細書
【補正対象項目名】００２３
【補正方法】変更
【補正の内容】
【００２３】
本発明の感光体の表面層を形成するための反応性のアクリロイルオキシ基及びメタクリロイルオキシ基の一方又は両方を分子中に含有する化合物は、該化合物に含有される反応性のアクリロイルオキシ基及びメタクリロイルオキシ基の総数（Ａ）の該化合物の分子量（Ｍ）に対する比の値（Ａ／Ｍ）が０．００５以下であればよい。アクリロイルオキシ基及びメタクリロイルオキシ基とは、下記構造式（１）及び（２）に示されるものである。
【手続補正８】
【補正対象書類名】明細書
【補正対象項目名】００２５
【補正方法】変更
【補正の内容】
【００２５】
前記化合物は、上記構造式（１）及び（２）の一方又は両方の官能基を分子の末端に有し、官能基の分子中の総数（Ａ）が分子量（Ｍ）に対して（Ａ／Ｍ）＝０．００５以下となるものである。化合物分子のアクリロイルオキシ基及びメタクリロイルオキシ基以外の部分の構造については、特に限定されない。アクリロイルオキシ基及びメタクリロイルオキシ基が結合している有機化合物であればよく、例えば、エポキシアクリレート（メタクリレート）、エポキシ化油アクリレート（メタクリレート）、ウレタンアクリレート（メタクリレート）、ポリエステルアクリレート（メタクリレート）、ポリエーテルアクリレート（メタクリレート）等の市販のアクリル（メタクリル）オリゴマー、又はポリエチレン、ポリエステル、ポリカーボネート、ポリスチレン、フッ素ポリマー、セルロース、ポリウレタン、シリコーンポリマー、ポリアルキド、塩化ビニルポリマー、塩化ビニル−酢酸ビニル共重合体等の比較的分子量の小さいもの又はオリゴマー及びそれらの一部を変成したもの等の末端に、アクリロイルオキシ基及びメタクリロイルオキシ基の一方又は両方を付加したものや、更に市販のアクリルモノマーのうち１分子中の官能基の総数（Ａ）が、分子量（Ｍ）に対する比の値（Ａ／Ｍ）が０．００５以下となるものであれば使用可能である。
【手続補正９】
【補正対象書類名】明細書
【補正対象項目名】００２６
【補正方法】変更
【補正の内容】
【００２６】
中でも表面層の塗布後の硬化性、表面層の硬度の点から、１分子中のアクリロイルオキシ基及びメタクリロイルオキシ基含有の総数は３個以上が望ましく、また同様な観点から化合物の分子量（Ｍ）は、好ましくは３００以上１００００以下、更に好ましくは５００以上５０００以下である。
【手続補正１０】
【補正対象書類名】明細書
【補正対象項目名】００２７
【補正方法】変更
【補正の内容】
【００２７】
本発明の表面層は、上記反応性のアクリロイルオキシ基及びメタクリロイルオキシ基の一方又は両方を分子中に含有する化合物を適当な溶剤に溶解し、これを塗布液として感光層上に塗布し、乾燥した後、光や熱によって硬化することによって形成する。溶剤は、上記化合物を溶解するものであれば何れのものでもよい。
【手続補正１１】
【補正対象書類名】明細書
【補正対象項目名】００２９
【補正方法】変更
【補正の内容】
【００２９】
感光体の表面層を、前記塗布液を感光層上に塗布後に硬化する際に光によって硬化させる場合、表面層塗布液には光反応開始剤を添加する。光反応開始剤の反応性のアクリロイルオキシ基及びメタクリロイルオキシ基の一方又は両方を分子中に含有する化合物に対する添加量は、好ましくは０．１〜５０重量％、より好ましくは０．５〜３０％である。また、硬化させる光としては、例えば、紫外線、Ｘ線又は電子線等の活性化学線が挙げられ、光反応開始剤は、このような光によりラジカルを発生するものであれば何れのものでもよい。
【手続補正１２】
【補正対象書類名】明細書
【補正対象項目名】００３０
【補正方法】変更
【補正の内容】
【００３０】
このように、接触帯電装置を有する電子写真装置において、電子写真感光体の表面層を反応性のアクリロイルオキシ基及びメタクリロイルオキシ基の一方又は両方を分子中に含有する化合物を含む溶液を塗布し、硬化することによって形成された層であり、該化合物に含有される反応性のアクリロイルオキシ基及びメタクリロイルオキシ基の総数（Ａ）の該化合物の分子量（Ｍ）に対する比の値（Ａ／Ｍ）が０．００５以下のものを用いることによって、広範囲の使用環境においても良好な画像を安定して出力でき、かつ感光体の削れが少なく感光体の耐久寿命を十分に長く確保することができる電子写真装置を構成することが可能になった。
【手続補正１３】
【補正対象書類名】明細書
【補正対象項目名】００４７
【補正方法】変更
【補正の内容】
【００４７】
【化４】
2000194177.tif 000001
光反応開始剤として２−メチルチオキサントン１部をメチルエチルケトン５０部に溶解し表面保護層分散液を調製し、この液を用いて浸漬塗布によって感光層上に塗布し、風乾した後、高圧水銀灯にて８ｍＷ／ｃｍ２の光強度で２０秒間光照射し硬化させて、膜厚が１μｍの表面層を形成し、電子写真感光体を得た。なお、本化合物のＡ／Ｍは０．００２７であった。
【手続補正１４】
【補正対象書類名】明細書
【補正対象項目名】００６０
【補正方法】変更
【補正の内容】
【００６０】
【発明の効果】
本発明では、接触帯電装置を有する電子写真装置において、電子写真感光体の表面層が、反応性のアクリロイルオキシ基及びメタクリロイルオキシ基の一方又は両方を分子中に含有する化合物を含む溶液を塗布し、硬化することによって形成された層であり、該化合物に含有される反応性のアクリロイルオキシ基及びメタクリロイルオキシ基の総数（Ａ）の該化合物の分子量（Ｍ）に対する比の値（Ａ／Ｍ）が０．００５以下であるものとすることにより、従来では両立できなかった接触帯電による低電力、低オゾン発生で均一な帯電と、十分な感光体の耐久寿命の確保が同時に可能となった。